(57)【要約】  着座者の恥骨弓を適切に保持し、恥骨弓及び骨盤のゆがみを防止できる骨盤保持具とその製造方法を提供することを目的とする。この目的を達成するため、着座者の恥骨弓に対応する凸部２と、この凸部２の両側に着座者の坐骨の外側面を包み込むように立ち上げた立ち上げ部３を形成した。凸部２は、加熱した熱可塑性樹脂製の保持具原板１を着座者の恥骨弓に合わせて押し込むことによって形成し、立ち上げ部３は、着座者の坐骨の外側面に合わせて保持具原板１を立ち上げることによって形成する。【特許請求の範囲】
【請求項１】
着座者の骨盤を保持する骨盤保持具であって、着座者の恥骨弓に対応する凸部と、この凸部の両側に着座者の坐骨の外側面を包み込むように立ち上げた立ち上げ部を有する骨盤支持具。
【請求項２】
着座者の骨盤を保持する骨盤保持具の製造方法であって、加熱した熱可塑性樹脂製の保持具原板を着座者の恥骨弓に合わせて押し込むことによって着座者の恥骨弓に対応する凸部を形成する工程と、着座者の坐骨の外側面に合わせて保持具原板を立ち上げることによって着座者の坐骨の外側面を包み込むような立ち上げ部を形成する工程とを含む骨盤保持具の製造方法。
【請求項３】
着座者の恥骨弓に対応する凸部を形成する工程において、先端が山形状のへらを使用して保持具原板を着座者の恥骨弓に合わせて押し込む請求項２に記載の骨盤保持具の製造方法。
【発明の詳細な説明】
【技術分野】
【０００１】
本発明は、椅子、座布団等の座面として使用し、着座者の骨盤を支持する骨盤保持具に関する。
【背景技術】
【０００２】
座って過ごす時間の長い現代社会においては、とくに、正しく座って臀部や腰への負担を軽減し、心地良く快適に過ごせるようにすることが望まれている。そのためには、座っているときに骨盤を正しく保持することが重要である。【０００３】
図３は、成人男性の骨盤を示す正面図である。同図に示すように、骨盤の下部には左右一対の坐骨Ａ，Ａがあり、左右の坐骨Ａ，Ａの間には恥骨弓Ｂと呼ばれる部分がある。この恥骨弓Ｂの角度、高さ等は男女各人により異なるが、恥骨弓Ｂが拡がったりゆがんだりすると、骨盤にゆがみが生じ、座り心地が悪くなったり、重要な決定をするときの分析力、判断力、集中力等がなくなったり、人体に種々の障害が発生したりする。【０００４】
そこで、従来、種々の座面が提案されており、特許文献１には、着座状態の骨盤を常に前傾状態に保てるように、着座者の坐骨を支持する高位支持部を形成した臀部支持用クッション座が開示されている。【０００５】
しかし、特許文献１の臀部支持用クッション座では、単に骨盤を前傾状態に保つようにすることが考慮されているのみで、上述の恥骨弓の拡がりやゆがみについては全く考慮されていない。したがって、筋力の強い若い時代は良いとしても、臀部の筋力が落ちる中高年になると、恥骨弓の左右の坐骨の下端部ａ，ａ（図３参照）が座面に当たり恥骨弓に大きな負荷がかかり、座っているだけで痛みを感じたり、恥骨弓ひいては骨盤にゆがみを生じたりするという問題がある。
【特許文献１】実開平５−７４３５２号公報
【発明の開示】
【発明が解決しようとする課題】
【０００６】
本発明が解決しようとする課題は、着座者の恥骨弓を適切に保持し、恥骨弓及び骨盤のゆがみを防止できる骨盤保持具とその製造方法を提供することにある。
【課題を解決するための手段】
【０００７】
本発明の骨盤保持具は、着座者の骨盤を保持する骨盤保持具であって、着座者の恥骨弓に対応する凸部と、この凸部の両側に着座者の坐骨の外側面を包み込むように立ち上げた立ち上げ部を有するものである。【０００８】
このように、着座者の恥骨弓に対応する凸部と着座者の坐骨の外側面を包み込むように立ち上げた立ち上げ部とを有することで、従来、坐骨の下端部のみで受け止めていた上半身の荷重を分散させることが可能となり、坐骨及び恥骨弓への負担が軽減され、快適に座ることができるとともに、骨盤のゆがみを防止できる。これにより、座った状態でも骨盤が正常に立った理想の状態を保ち、背筋が伸び、胸が前に突き出る正しい姿勢となり、骨盤の可動域を広げることができる。そうすると、立った状態においても骨盤が立った姿勢を保持できるようになり、上半身の荷重を骨盤から大股骨に伝え、全体重を逃がさず、足裏で地面を踏みしめることが可能となる。【０００９】
かかる骨盤保持具は、加熱した熱可塑性樹脂製の保持具原板を着座者の恥骨弓に合わせて押し込むことによって着座者の恥骨弓に対応する凸部を形成し、さらに、着座者の坐骨の外側面に合わせて保持具原板を立ち上げることによって着座者の坐骨の外側面を包み込むような立ち上げ部を形成することによって製造できる。また、着座者の恥骨弓に対応する凸部を形成する際には、先端が山形状のへらを使用して保持具原板を着座者の恥骨弓に合わせて押し込むようにすることが好ましい。【００１０】
この製造方法によれば、着座者（使用者）の坐骨、恥骨弓等の骨盤の形状に合った適正な骨盤保持具を容易に得ることができる。
【発明の効果】
【００１１】
本発明によれば、着座者の恥骨弓を適切に保持し、恥骨弓及び骨盤のゆがみを防止でき、骨盤のゆがみに伴う種々の障害発生を防止することができる。
【発明を実施するための最良の形態】
【００１２】
以下図面に示す実施例に基づき本発明の実施の形態を説明する。【００１３】
図１は、本発明の骨盤保持具の一実施例を示す斜視図である。図２は、その製造方法を示す説明図である。【００１４】
図１に示す骨盤保持具は、熱可塑性樹脂製の保持具原板１を加工したもので、中央部に凸部２が形成され、その両側に立ち上げ部３が形成されている。【００１５】
凸部２は、熱可塑性樹脂製の保持具原板１を温水加熱により７０℃程度に温めた後、図２に示すように、例えば四つばい状態の臀部に合わせ、先端が山形状のへら４を用いて恥骨弓Ｂ側に向けて押し込み、恥骨弓Ｂの形状に合わせて成形することによって形成される。【００１６】
また、両側の立ち上げ部３は、同様に加熱した保持具原板１の両側を、臀部の外形ラインＣに沿って坐骨Ａの外側面に合わせて立ち上げることによって形成される。【００１７】
このように凸部２及び立ち上げ部３を形成することで、着座者（使用者）の恥骨弓Ｂの角度や高さ、及び、臀部の丸みにフィットした骨盤保持具が得られる。したがって、この骨盤保持具を座面として使用することで、着座中に骨盤全体を安定して保持でき、上半身の荷重を骨盤全体で確実に支持することができ、骨盤のゆがみ等を防止できる。また、坐骨Ａが着座する部分に衝撃を吸収するクッション材を貼着すると、より一層安定的に骨盤を保持できる。
【産業上の利用可能性】
【００１８】
本発明は、椅子、座布団等の座面として、単独であるいは既存の座面に装着して利用可能である。
【図面の簡単な説明】
【００１９】
【図１】本発明の骨盤保持具の一実施例を示す斜視図である。
【図２】本発明の骨盤保持具の製造方法を示す説明図である。
【図３】成人男性の骨盤を示す正面図である。
【符号の説明】
【００２０】
１  保持具原板
２  凸部
３  立ち上げ部
４  へら
Ａ  坐骨
Ｂ  恥骨弓
Ｃ  臀部の外形ライン
【図１】
2006129364.tif 000002
【図２】
2006129364.tif 000003
【図３】
2006129364.tif 000004
【国際調査報告】
2006129364.tif 000005
2006129364.tif 000006
2006129364.tif 000007
2006129364.tif 000008